(57)【要約】【課題】必要なパラメータ処理及びシグナリングを抑え、１つのネットワーク要素に機能を統合すること。【解決手段】本発明は、複数の基地局の信号強度について移動局により実行された測定の報告を基地局コントローラにおいて受信する段階と、信号のクオリティが、より良い無線チャネルクオリティを達成すべく予め定められたハンドオーバ基準を満たすときに、より良い信号クオリティを提供するチャネルに対するハンドオーバを開始する段階と、を含み、基準に関する情報を記憶する段階を基地局コントローラにおいて実行し、この場合、基準が満たされることが、第１の基地局の負荷を低減させるための試みを実行しなくてはならないということを意味するものであり、さらに、基準が満たされているかをチェックし、該基準が満たされていることに応答して、より良い無線チャネルクオリティを達成するために実行すべきハンドオーバの基準を変更する。【選択図】図４
2009060661.tif 000002
【特許請求の範囲】
【請求項１】
複数のベーストランシーバステーションの信号強度について移動局により実行された測定の報告を基地局コントローラにおいて受信する段階と、
前記信号のクオリティが、より良い無線チャネルクオリティを達成すべく予め定められたハンドオーバ基準を満たすときに、より良い信号クオリティを提供するチャネルに対するハンドオーバを開始する段階と、
を含む方法であって、
基準に関する情報を記憶する段階を前記基地局コントローラにおいて実行し、この場合、前記基準が満たされることが、第１のベーストランシーバステーションの負荷を低減させるための試みを実行しなくてはならないということを意味するものであり、
さらに、
前記基準が満たされているかをチェックし、該基準が満たされていることに応答して、より良い無線チャネルクオリティを達成するために実行すべきハンドオーバの基準を変更することにより、前記第１ベーストランシーバステーションの負荷の一部分を、該第１ベーストランシーバステーションに隣接する１つ又はそれ以上のベーストランシーバステーションに対して振り向ける段階、を前記基地局コントローラにおいて実行する、
ことを特徴とする方法。
【請求項２】
前記基準が、前記第１ベーストランシーバステーションにおいて空いているチャネルの数に対する最小目標を含む、請求項１に記載の方法。
【請求項３】
前記最小目標が動的に変化しうる、請求項２に記載の方法。
【請求項４】
前記最小目標が、前記基地局コントローラにとって既知となっている新しい接続を確立するのに必要とされるチャネルの数に依存する、請求項２に記載の方法。
【請求項５】
前記基準が、前記第１ベーストランシーバステーションに隣接する複数のベーストランシーバステーションにおいて空いているチャネルの数に対する最小要求を含む、請求項１に記載の方法。
【請求項６】
前記基準が、前記隣接するベーストランシーバステーションの信号強度について前記移動局により実行された測定の結果に対する最小要求を含む、請求項１に記載の方法。
【請求項７】
基地局コントローラのための装置であって、
複数のベーストランシーバステーションの信号強度について移動局により実行された測定の報告を受信し、前記信号のクオリティが、より良い無線チャネルクオリティを達成すべく予め定められたハンドオーバ基準を満たすときに、より良い信号クオリティを提供するチャネルに対するハンドオーバを開始する、ように構成されており、
第１ベーストランシーバステーションの負荷を低減することをトリガする基準を記憶する記憶手段と、
前記基準が満たされているかを監視する監視手段と、
前記基準が満たされていることに応答して、より良い無線チャネルクオリティを達成するために実行すべきハンドオーバの基準を変更することにより、前記第１ベーストランシーバステーションの負荷の一部分を、該第１ベーストランシーバステーションに隣接する複数のベーストランシーバステーションに対して振り向ける、前記監視手段に反応するハンドオーバ実行手段と、
を含むことを特徴とする装置。
【請求項８】
前記基準が、前記第１ベーストランシーバステーションにおいて空いているチャネルの数に対する最小目標を含む、請求項７に記載の装置。
【請求項９】
前記最小目標が動的に変化しうる、請求項８に記載の装置。
【請求項１０】
前記最小目標が、前記基地局コントローラにとって既知となっている新しい接続を確立するのに必要とされるチャネルの数に依存する、請求項８に記載の装置。
【請求項１１】
前記基準が、前記第１ベーストランシーバステーションに隣接する複数のベーストランシーバステーションにおいて空いているチャネルの数に対する最小要求を含む、請求項７に記載の装置。
【請求項１２】
前記基準が、前記隣接するベーストランシーバステーションの信号強度について前記移動局により実行された測定の結果に対する最小要求を含む、請求項７に記載の装置。
【発明の詳細な説明】
【技術分野】
【０００１】
本発明は、移動通信システムにおける混雑したセルからのトラフィック負荷の減少に係る。
【背景技術】
【０００２】
移動通信システムにおいては、移動局及びベーストランシーバステーションがいわゆる無線インターフェイスのチャネルを通る接続を設定する。システムにより使用するためにある周波数範囲が常に割り当てられる。この限定された周波数範囲で移動通信システムに充分な容量を得るために、使用中のチャネルを何回も使用しなければならない。このため、システムのカバレージエリアは、個々のベーストランシーバステーションＢＴＳの無線カバレージエリアにより形成されたセルへと分割され、したがって、システムは、セルラー無線システムとも称される。
【０００３】
図１は、既知の移動通信システムにおけるネットワーク要素及びそれらの間の関係を示している。図示されたネットワークは、ＧＳＭシステムに基づくもので、本発明において一例として使用される。図中の実線は、信号及びコールの両方を含む接続を示し、一方、破線は、信号のみを含む接続を示す。このネットワークは、無線経路を経て移動局加入者の移動局ＭＳとの接続を設定するベーストランシーバステーションＢＴＳと、これらベーストランシーバステーションを制御する基地局コントローラＢＳＣと、移動サービス交換センターＭＳＣとを備えている。ＭＳＣの下には多数の基地局コントローラＢＳＣがハイアラーキー構成にされ、これらＢＳＣの下には多数のベーストランシーバステーションＢＴＳがハイアラーキー構成にされている。ＭＳＣとＢＳＣとの間のインターフェイスをＡインターフェイスと称し、一方、ＢＳＣとＢＴＳとの間のインターフェイスをＡ-ｂｉｓインターフェイスと称する。
【０００４】
設定されたコール接続は、ベーストランシーバステーションＢＴＳから基地局コントローラＢＳＣを経て移動サービス交換センターＭＳＣへと至る。ＭＳＣは、その付属の基地局コントローラ、他のＭＳＣセンター、又は公衆交換電話ネットワークＰＳＴＮ、或いはサービス総合デジタル網ＩＳＤＮへコールを接続する。また、ネットワークは、ネットワークの状態に関する情報を収集してその情報及びプログラムを他のネットワーク要素へ供給するのに使用されるネットワークマネージメントシステムＮＭＳも備えている。
【０００５】
アイドル状態において、移動局は、ベーストランシーバステーションにより送信された信号を測定し、必要に応じて、そのとき最良のサービスを与えるベーストランシーバステーションからの接続設定を要求する。接続中に、ネットワークは、必要なときに切断を伴わずにセル間のハンドオーバにより移動局を別のセルへ移動することができる。
【０００６】
アクティブなセル状態においては、移動局ＭＳは、それにサービスするベーストランシーバステーションＢＴＳを経て基地局コントローラＢＳＣへ測定結果をレポートメッセージとして規則的に送信する。このレポートメッセージは、サービス中のベーストランシーバステーション、及び最良の信号を与える６個以下の隣接するベーストランシーバステーションの信号強度の測定結果を含む。移動局に加えて、ベーストランシーバステーションＢＴＳも、接続のクオリティの測定を行う。移動局及びベーストランシーバステーションによって行われた測定の結果は、基地局コントローラＢＳＣにおいて分析される。また、基地局コントローラは、その付属セルのベーストランシーバステーションにおける空きチャネルの情報も維持する。ＧＳＭシステムでは、基地局コントローラＢＳＣの役割のほとんどは、無線リソースの管理である。
【０００７】
移動局は、例えば、次のようなときに、ハンドオーバによりそのサービスセルからある隣接セルへ移動される。
− 移動局／ベーストランシーバステーションの測定結果が、現在 のサービスセルの信号レベル及び／又はクオリティが低くその周囲 セルからより良好な信号レベルが得られることを指示する。
− ある周囲セルが、より低い送信電力レベルでの通信を許す。
− 移動局ＭＳがそれにサービスするベーストランシーバステーシ ョンＢＴＳから非常に遠くに移動した。又は、 − サービスセルの負荷が非常に高くなった。
また、ハンドオーバは、例えば、ベーストランシーバステーションにトラブルが生じたといった他の理由で行うこともできる。ハンドオーバにおいてターゲットセルの選択に影響するファクターは、例えば、ターゲットセルの信号レベル及び／又は負荷である。移動通信ネットワークの安定性を確保するために、ハンドオーバに使用される測定結果及びパラメータは、あるタイムスロットにわたって平均化される。このようにして、ハンドオーバは、一時的な干渉やフェージングによって生じる歪んだ測定結果の影響を受けないようにされる。
【０００８】
ハンドオーバは、次のように行われる。
− セルの内部で(セル内ハンドオーバ)。
− 同じ基地局コントローラに属する２つのセル間で(ベースト ランシーバステーション間のハンドオーバ)。
− 同じ移動サービス交換センターＭＳＣに所属する２つのベースステーショ ンコントローラに属するセル間で(基地局コントローラ間の ハンドオーバ)。又は、
− ２つの異なる移動サービス交換センターＭＳＣに属するセル間で(移動サ ービス交換センター間のハンドオーバ)。
【０００９】
ハンドオーバは、基地局コントローラＢＳＣによりほぼ単独で行われる。移動サービス交換センターＭＳＣは、セルの負荷が原因で基地局コントローラ間で行われるハンドオーバのみに参加する。
【００１０】
本発明は、過剰なセルの負荷によるハンドオーバに係り、その基本的な原理が図２に示されている。図２は、負荷の状態が異なる多数のセルＡ-Ｇを示している。セルＡは、その容量限界まで負荷がかかっている。セルＣは、セルＡより若干負荷が低い。セルＢ及びＥの負荷は、それらの容量からみて正常であり、一方、セルＤ、Ｆ及びＧは、負荷が軽い。負荷の状態は、図示されたセルにおける斜線の太さに比例する。全体的な観点から、最適なネットワークオペレーションは、全てのセルの負荷が同じレベルであるとき又は少なくとも全てのセルが新たな接続を設定するためのリソースを有するときに達成される。この状態を達成するために、セルＡの負荷は、その負荷が大きいために、矢印で示されたハンドオーバにより、負荷の軽いセルＤ、Ｆ及びＧへと放出される。
【００１１】
セルの負荷が過剰であることによるハンドオーバの助けにより、新たな接続のための余裕をセルに作ることができる。接続のための余裕がない場合には、コール設定段階で予め指令される再試みにより接続が別のチャネルへハンドオーバされる。しかしながら、コール設定段階で指令される再試みは、少数の測定レポートのみに基づいて行わねばならない。したがって、ハンドオーバのターゲットセルは、非常に不充分な測定に基づいて選択されねばならない。他方、セルのベーストランシーバステーションとの接続を有する少なくとも幾つかの移動局は、通常、他のベーストランシーバステーションとも同様の接続クオリティを達成する。従って、全体的な観点から、アクティブな状態にある１つ又は多数の移動局をセルからその隣接セルへ移動し、コール設定段階においてハンドオーバを伴わずに新たな接続を設定することが最も効果的である。
【００１２】
セルの負荷が過剰であることによるハンドオーバの利点の別の例は、セルＳ１及びセルＳ２の両方に１つの空きチャネルがあり、セルＳ１において２つのチャネルの使用を要求する高速接続を設定する試みがなされる状態である。したがって、ハンドオーバによりセルＳ２の接続の１つをセルＳ１へ移動し、これにより、新たな接続により使用される２つの空きチャネルをセルＳ１に得ることができる。
セルの負荷が過剰であることによる現状のハンドオーバについて以下に例示する。これは、ヨーロピアン・テレコミュニケーションズ・スタンダード・インスティテュートＥＴＳＩにより出版されたＧＳＭ０８．０８（バージョン４．７．１）に記載されており、その必要な信号が図３に示されている。
【００１３】
ＭＳＣは、セル、報告の形式及びもしあれば報告の周期が識別された「リソース要求」メッセージ３０１を基地局コントローラへ送信することにより個々のセルの混雑状態について基地局コントローラＢＳＣに問い合わせる。
【００１４】
基地局コントローラＢＳＣは、ＭＳＣにより規定された報告の形式と共にセルの容量の利用率について報告し始める。基地局コントローラは、空きチャネルの干渉レベルを常時監視する。空きチャネルは、それらの干渉レベルに基づき、ネットワークマネージメントシステムＮＭＳにより決定された５つのクラスに分割される。ＢＳＣは、各干渉レベルクラスにある空きチャネルの数についてその送信された「リソース指示」メッセージ３０２においてＭＳＣに報告する。
【００１５】
移動サービス交換センターＭＳＣは、異なるセルの負荷状態についてそれが受け取った情報を検討し、図３のポイント３０３において、セルの負荷によりハンドオーバをトリガする「退場基準」があるセルに対して満足されるかどうかチェックする。「退場基準」とは、移動サービス交換センターＭＳＣにおいて各セルごとに別々に定義された基準であって、セルの負荷を減少しなければならない状態を定義する基準である。この基準を確立することにより、例えば、少なくともチャネル１をセルにおいて常に空き状態に保たねばならないという目標を決定することができる。
【００１６】
ＭＳＣは、「入場基準」を満足するセルのうちのセット｛Ｓｉ｝をターゲットセルの候補として指定する。「入場基準」は、セルに割り当てられたトラフィックによるハンドオーバで問題なくセルの負荷を依然増加できる状態を定義する。セルに割り当てられたトラフィックに基づくハンドオーバは、例えば、干渉クラス１、２及び３の空きチャネルが４つ以上セルにある状態において許される。したがって、セルの負荷によるハンドオーバを判断できるようにするために、移動サービス交換センターＭＳＣは、負荷のかかったセル自体から受信する情報に加えて、そのセルに隣接するセルの負荷状態に関する情報も必要となる。
【００１７】
負荷によるハンドオーバが必要であることが分かり、セルからどれほど多くの移動局を移動すべきか結論され、ハンドオーバに対するターゲットセルの候補が見つかると、移動サービス交換センターは、「ハンドオーバ候補問合せ」メッセージ３０４を基地局コントローラへ送信することにより、ある数の移動局をハンドオーバによりセルから移動するための要求を基地局コントローラへ送信する。このメッセージにおいて、移動サービス交換センターは、ハンドオーバの起点となるセル、セルから移動されるべき移動局の数、及びハンドオーバに対するターゲットセル候補のセット｛Ｓｉ｝を指定する。
【００１８】
基地局コントローラは、ポイント３０５において、移動サービス交換センターＭＳＣにより要求された数の移動局を、混雑したセルから、移動サービス交換センターの「ハンドオーバ候補問合せ」メッセージで指定されたセル｛Ｓｉ｝へ移動し始める。基地局コントローラは、混雑したセルからどの移動局を移動するかＭＳＣにより指定されたどのセルへそれらを移動するか判断する。基地局コントローラは、それが知っている移動局の測定レポートをこの判断のベースとする。
移動局は、セルＳ２の信号強度についての移動局による平均測定値が、セルＳ２の信号の方がセルＳ１において予め決定された「ＴＲＨＯターゲットレベル(Ｓ２)」限界値より高いことを指示する場合に、ハンドオーバによりセルＳ１からセルＳ２へ移動することができる。「ＴＲＨＯターゲットレベル(Ｓ２)」限界値は、各セルごとに個々に各セルの隣接セルＳｉに対して確立される。「ＴＲＨＯターゲットレベル」パラメータを使用する考え方は、セルの負荷によるハンドオーバを、移動局とベーストランシーバステーションとの間の接続のクオリティが甚だ悪くなるようなセルへと行うことである。
【００１９】
混雑したセルからどの移動局を移動したいか個々の移動局に対してハンドオーバターゲットセルはどれであるかを判断すると、基地局コントローラは、ハンドオーバを開始する。移動局のハンドオーバターゲットセルが同じ基地局コントローラの管理のもとにある場合には、ＢＳＣは、ベーストランシーバステーションＢＴＳを経て移動局ＭＳへ「ハンドオーバコマンド」メッセージを送信し、これは、移動局により使用される新たなチャネルを示す。ターゲットセルが別の基地局コントローラＢＳＣ２に属するものである場合には、ＢＳＣは、「ハンドオーバ要求」メッセージを「ＭＳＣに対する応答要求」理由コードと共に移動サービス交換センターへ送信し、これは、考えられるハンドオーバターゲットセルの優先順のリストを与える。ハンドオーバを開始すると、ＢＳＣは、いかに多くの移動局を移動するかを「ハンドオーバ候補応答」メッセージ３０６においてＭＳＣへ指示する。
【００２０】
トラフィックによるハンドオーバを実行する場合には、基地局コントローラＢＳＣ及び移動サービス交換センターＭＳＣの両方においてパラメータ処理を行うことが必要となる。「ＴＲＨＯターゲットレベル」パラメータは、セルの各隣接セルごとに基地局コントローラＢＳＣにおいて定義されねばならない。「ＴＲＨＯターゲットレベル」パラメータがセルSiのある隣接セルＳｊに対して定義されない場合には、セルＳｉの負荷によるハンドオーバをセルＳｊへと行うことはできない。
【００２１】
「退場基準」条件は、セルの負荷によるハンドオーバを行うことのできる全てのセルに対して移動サービス交換センターにおいて定義されねばならない。「入場基準」パラメータは、セルの負荷によるハンドオーバを介して他のセルの負荷が移動されるべき全てのセルについて定義されねばならない。パラメータ処理は、相当の作業を伴い、多数の異なる場所で行わねばならないので、セルの負荷によるハンドオーバは、通常、一定の混雑状態しかないセルにおいて使用される。このため、セルの負荷による現状のハンドオーバは、例えば、トラフィック事故のような混雑状態により生じる短い負荷ピークを緩和するのにほとんど使用されない。
【発明の開示】
【発明が解決しようとする課題】
【００２２】
上記方法の欠点は、この方法に必要とされるパラメータ処理に労力がかかり、且つ基地局コントロータＢＳＣと移動サービス交換センターＭＳＣとの間のインターフェイスＡに負荷がかかることである。インターフェイスＡは、１つの基地局コントローラＢＳＣの内部セル負荷のために特にハンドオーバにおいて不必要に負荷がかかる。異なる製造者により作られた基地局コントローラ及び移動サービス交換センターが使用されたネットワークでは、更に別の問題が発生する。したがって、移動サービス交換センターＭＳＣ及び基地局コントローラＢＳＣの両方がセルの負荷によるハンドオーバをサポートしなければならない。
【課題を解決するための手段】
【００２３】
本発明の目的は、上述した現状の問題を解消するか又は少なくとも軽減することである。この目的は、独立請求項に記載された方法により達成される。
【００２４】
本発明の考え方は、セルの負荷によるハンドオーバを１つの基地局コントローラＢＳＣにおいて集中的に実行することである。これには、セルの負荷によるハンドオーバに関連した全ての機能及び基準を基地局コントローラにおいて実施することが必要となる。
【００２５】
集中化により達成される効果は、例えば、必要な信号負荷が軽いことである。この方法は、他のネットワーク要素とは独立しているので、全ての必要なパラメータ処理が１つのネットワーク要素において行われる。これは、機能の導入及び維持を容易にする。
【００２６】
ハンドオーバの判断に必要とされる全ての情報及び機能は、基地局コントローラにあるので、ハンドオーバ基準は、動的な基準として定義される。例えば、新たなコールを設定するときには、基地局コントローラＢＳＣにおいてセルの空き容量が新たな接続を設定するのに充分であるかどうか見出すためのチェックが行われ、したがって、この情報は、セルの負荷によるハンドオーバをトリガする「退場基準」及び「入場基準」の基礎として柔軟に使用することができる。このように、コールの確立は、常に、最良のセルにおいて可能となる。
【発明を実施するための最良の形態】
【００２７】
以下、添付図面を参照して本発明を詳細に説明する。
本発明において、セルの負荷によるハンドオーバは、基地局コントローラＢＳＣにおいて集中形態で実行される。したがって、本発明の実施においては、機能をトリガする「退場基準」を監視するアルゴリズムの実施と、基地局コントローラにおけるターゲットセル選択アルゴリズムの実施とが必要となる。
【００２８】
例えば、セルに空きチャネルがない状態は、セルから出る方向にセルの負荷によるハンドオーバをトリガするための「退場基準」として定義することができる。この基準は、その最も簡単な形態において、その基地局コントローラに属する全てのセルに対して同じであるように定義される。セルの負荷状態に関する良好な情報は、移動サービス交換センターよりも基地局コントローラに対して得られるので、「退場基準」は、動的な基準として定義することもできる。動的なものとして定義される基準の一例は、少なくとも、ベーストランシーバステーションにより受け取られた接続設定要求で要求された接続設定をベーストランシーバステーションを経て実施できるような多数のチャネルを常にセルにおいて空き状態に保持しなければならないことを規定する基準である。したがって、セルからの負荷の移動は、ベーストランシーバステーションにおいて空いているチャネルが要求された接続の設定に充分でないときに、新たな接続の設定と共に開始される。
【００２９】
例えば、セルに３つの空きチャネルがある状態は、「入場基準」として定義される。「入場基準」も、その最も簡単な形態において、その基地局コントローラに属する全てのセルに対して同じである。公知の状態に比して１つの利点は、基地局コントローラにおいて「退場基準」条件を満足するかどうかチェックするときに、ターゲットセルの負荷に関する情報であって移動サービス交換センターにおいて行われる比較よりも最新の情報を比較に使用できることである。「入場基準」も、例えば、時間で推定される新たな接続の設定レートに基づいて動的に変化するように定義することができる。基地局コントローラＢＳＣは、セルの空きチャネルにおける干渉に関する情報を有し、これは、移動サービス交換センターに得られる情報よりも非常に正確である。さらに、ＢＳＣは、移動局の測定報告に関する情報も有している。別のセルの負荷によるハンドオーバを受け入れるためのセルの能力は、これら２つの情報片を組み合わせることによって基地局コントローラにおいて評価することができ、したがって、この評価は、チャネルの干渉値のみに基づいて移動サービス交換センターで行われるものよりも非常に良好である。
【００３０】
セルの負荷によるハンドオーバにおいてターゲットセルの信号に対して確立される「ＴＲＨＯターゲットレベル」無線基準は、例えば、他のハンドオーバに使用されるＲＸＬＥＶ ＭＩＮ無線基準の助けで定義される。セルの負荷によるハンドオーバの無線基準は、その最も簡単な形態においては、セルへの他のハンドオーバに使用される無線基準が満足されるときに常に満足されると考えられる。しかしながら、最良の無線チャネルを得るために行われたハンドオーバにより元のセルへほぼ即座に移動局を戻すことは、例えば、タイマーを使用するといった他の何らかのやり方で防止しなければならない。
【００３１】
本発明の１つの好ましい実施形態では、無線チャネルのクオリティに基づくセルからのハンドオーバに対して確立された「ＨＯ余裕」基準を緩和することにより、幾つかの移動局が負荷のかかったセルから出るよう指令される。ある「ＨＯ余裕」より低い送信電力でターゲットセルに同じ信号対雑音比が得られることが分かった場合には、無線チャネルのクオリティに基づくハンドオーバによりチャネルが変更される。例えば、典型的な「ＨＯ余裕」値は、６ｄＢである。余裕値を使用する背景にある考え方は、セル間での前後のハンドオーバを減少することである。必要な電力余裕を下げることにより、負荷のかかったセルの幾つかの移動局は、通常のハンドオーバ手順に基づく別のセルへのハンドオーバを実行するようにされる。対応的に、セルへのハンドオーバに対し、「ＨＯ余裕」を増加しなければならず、これにより、セルに向けられてセルの負荷を増大するハンドオーバが減少される。この実施形態が図４に示されている。
【００３２】
図４は、「退場基準」及び「入場基準」が満足されることを常時チェックするアルゴリズムを示す。ポイント４０２において「退場基準」が満足されることが分かると、ポイント４０３へ進み、「ＨＯ余裕」が、例えば、ネットワークマネージメントシステムＮＭＳにおいて与えられたそのＭＩＮ（ＨＯ余裕）最大値に既にあるかどうか調べるためのチェックが行われる。もしそうでなければ、機能はポイント４０４へ進み、無線チャネルクオリティに基づくハンドオーバに対する「ＨＯ余裕」電力余裕値が所定のステップで減少される。この基準は、全てのターゲットセル候補に対し例えば１ｄＢだけ等しく減少され、これにより、必要なパラメータ処理が最小にされる。同様に、必要であれば、各ターゲットセル候補ごとに個々の減少ステップを定義することができる。
【００３３】
「退場基準」を満足しない場合には、ポイント４１１において「入場基準」が満足されるかどうか調べるチェックが行われる。この基準が満足されない場合には、機能が始めに戻される。この基準が満足される場合には、ポイント４１２において「ＨＯ余裕」がその確立された最大値ＭＡＸ（ＨＯ余裕）に既にあるかどうかのチェックが行われる。もしそうでなければ、電力余裕が所定のステップで増加される。この実施形態の効果は、セルの各隣接セルごとに別々にパラメータ処理しなければならないセルの負荷によるハンドオーバの個別の「ＴＲＨＯターゲットレベル」無線基準が全く不要なことである。
【００３４】
図５に示すアルゴリズムは、例えば、「退場基準」が満足されるかどうかチェックするのに使用される。このアルゴリズムは、コール制御から、セルにおける空きチャネルの数Ｋに関する一定情報を得る（ポイント５０１）と共に、セルに対してなされた接続要求を実施するのに必要なチャネルの数Ｌに関する情報を得る(ポイント５１１)。さらに、空き状態に保たねばならないチャネルの最少数を決定するためにパラメータＮがアルゴリズムに供給される。Ｋ＜Ｎ又はＫ＜Ｌである場合には、機能がポイント５０３へ進み、「退場基準」が満足されるかどうか見出される。さもなくば、機能はポイント５１３へ進み、基準が満足されないことが分かる。
【００３５】
本発明によるセルの負荷に基づくハンドオーバの実施形態を以下に説明する。全てのセルは、同じ基地局コントローラに所属している。全てのセルに対して同じ「退場基準」が確立され、これは、各セルにおいて少なくとも１つのチャネルを空き状態に常に保つという目標を意味し、別の目標は、セルの負荷によるハンドオーバを介してセルに新たな接続要求のためのスペースを常に与えることである。
【００３６】
また、全てのセルに対して同じ「入場基準」も定義され、これは、ハンドオーバの後にセルに少なくとも３つの空きチャネルが保持される場合に、別のセルの負荷によるハンドオーバがセルに対してなされることを意味する。
【００３７】
図６は、セルの負荷によるハンドオーバを制御するために基地局コントローラに配置されたアルゴリズムのフローチャートである。条件ポイント６０２において、このアルゴリズムは、上記「退場基準」が満足されるかどうかの一定のチェックを行う。条件が満足されると、混雑したセルから移動局を移動するための段階が開始される。セルの負荷により実行されるべきハンドオーバに対するターゲットセルの候補｛Ｓｉ｝がポイント６０３において求められる。これらのセルは、上記の「入場基準」が満足されるターゲットセル候補のセット｛Ｓｉ｝に属する。ポイント６０４では、移動局によりなされた隣接セル信号の測定に基づきセット｛Ｓｉ｝に属するあるセルＳｊにおいて最良の無線パラメータが得られるところの移動局ＭＳkが求められる。ポイント６０５では、最良の候補としてポイント６０４で定義されたハンドオーバ候補が無線条件を満足するかどうか、即ちセルＳｊから移動局ＭＳkにより測定された信号強度が「ＴＲＨＯターゲットレベル」を越えるかどうかのチェックが行われる。条件が満足される場合には、機能がポイント６０６へ進み、移動局ＭＳkに対しセルＳｊへのハンドオーバが実行される。ポイント６０７では、実行されたハンドオーバの通知が移動サービス交換センターＭＳＣに与えられる。全機能において、これは、移動サービス交換センターＭＳＣが見ることのできる唯一のポイントである。
【００３８】
ポイント６０５において無線条件を満足しないことが分かると、機能はポイント６１１へ進み、セルＳ｛ｊ｝がターゲットセル候補のセット｛Ｓｉ｝から取り出される。この取り出しの後にセルが依然リストに保持される場合には、機能はポイント６０４から続けられる。セットが空である場合には、機能はハンドオーバを行わずに終了となる。
【００３９】
セルＳ２及びＳ３へのハンドオーバによりセルＳ１の負荷が軽くされる状態が図７に示されている。セルＳ１では、１つのチャネルが空きであり、セルＳ２では、４つのチャネル及びセルＳ３では、４つのチャネルが空きである。
【００４０】
この段階において、セルＳ１のベーストランシーバステーションは、１つのチャネルを用いて新たな接続を設定する要求を受け取り、接続を設定する。接続が設定された後に、セルＳ１の全てのチャネルが使用される。次いで、セルＳ１において「退場基準」を満足することが分かる。基準が満足されるのに応答して、セルの負荷によるハンドオーバを制御する図６に示すアルゴリズムにおいてポイント６０３へ進む。ポイント６０３において、セルＳ２及びセルＳ３の両方で「入場基準」が満足されることが分かる。セルＳ１のベーストランシーバステーションとのアクティブな協働において移動局から基地局コントローラにより受け取られる測定報告から、基地局コントローラは、セルＳ１の移動局とセルＳ２又はＳ３のいずれかのベーストランシーバステーションとの間の接続に対するそのときの最良の無線パラメータが移動局ＭＳ１とセルＳ３のベーストランシーバステーションとの間で達成されることを見出す。ポイント６０５において、セルＳ３のベーストランシーバステーションの信号に対して移動局ＭＳ１により報告された信号強度の測定値が、「ＴＲＨＯターゲットレベル」パラメータにより定義された限界値を越えるかどうか見出すためのチェックが行われる。この例ではそれを越えるので、移動局ＭＳ１は、ポイント６０６においてハンドオーバによりセルS3へ移動される。最後に、行われたハンドオーバが、「ハンドオーバ実行」メッセージで移動サービス交換センターＭＳＣに報告される。ハンドオーバ実行後に、セルＳ１には１つの空きチャネルがあり、セルＳ２には４つの空きチャネルがあり、セルＳ３には３つの空きチャネルがある。
【００４１】
次いで、基地局コントローラは、セルＳ１の２つの並列チャネルを使用して接続を設定する要求を受け取る。接続設定要求に応答して、基地局コントローラは、新たな接続に対して充分な空き容量がセルＳ１にあるかどうかチェックする。この場合は充分な容量がないので、「退場基準」が満足され、図６のアルゴリズムはポイント６０３へ進む。このポイントでは、セルＳ２においてのみ「入場基準」が満足されることが分かる。セルＳ１のベーストランシーバステーションとのアクティブな協働において移動局から基地局コントローラにより受け取られる測定報告から、基地局コントローラは、セルＳ１の移動局とセルＳ２のベーストランシーバステーションとの間の接続に対するそのときの最良の無線パラメータが移動局ＭＳ２とセルＳ２のベーストランシーバステーションとの間で達成されることを見出す。ポイント６０５において、セルＳ３のベーストランシーバステーションの信号に対して移動局ＭＳ２により報告された信号強度の測定値が、「ＴＲＨＯターゲットレベル」パラメータにより定義された限界値を越えるかどうか見出すためのチェックが行われる。この例ではそれを越えないので、移動局ＭＳ２は、ポイント６０６においてハンドオーバによりセルＳ２へ移動される。最後に、行われたハンドオーバが移動サービス交換センタ−ＭＳＣに報告される。ハンドオーバ実行後に、セルＳ１には２つの空きチャネルがあり、セルＳ２及びセルＳ３には３つの空きチャネルがある。
【００４２】
ハンドオーバ実行後に、セルＳ１には２つの空きチャネルがあり、したがって、２つの並列なチャネルを用いて要求された接続を設定することができる。接続が設定されると、セルＳ１の「入場基準」は満足されるが、ポイント６０３において形成されるべきターゲットセル候補のセット｛Ｓｉ｝は空であるから、いずれかのセルにおいて新たな容量が空き状態になるまで負荷によるハンドオーバを介してセルの負荷を緩和することはできない。
【００４３】
図８は、本発明の方法を実現する基地局コントローラの構造を例示する図である。本発明によれば、基地局コントローラにはメモリエリアＭＡ１ ８０１があり、セルの負荷によるハンドオーバをトリガする基準に関する情報が記憶される。さらに、本発明によれば、基地局コントローラは、比較手段８０２により、公知技術に基づいて分かってメモリエリアＭＡ２ ８０３に記憶されたセルの負荷状態を、メモリエリアＭＡ３ ８０１に記憶された基準と比較することができねばならない。この比較に基づき、ハンドオーバ実行手段８０４は、基地局コントローラに配置されたハンドオーバ機能を現状の形態で実行するようにトリガされる。本発明による機能を遂行する手段は、例えば、バス８００に接続され、このバスには、ＢＳＣ機能を実行する他のユニットも接続される。このようなユニットは、例えば、スイッチングフィールド８１２を制御するスイッチングコントロール８１１と、基地局コントローラの同期に付随する同期ユニット８２１と、ネットワークマネージメントシステムＮＭＳへの接続に付随するネットワークマネージメントユニット８３１と、移動局及びベーストランシーバステーションの測定報告を処理する測定報告分析ユニット８４１である。
【００４４】
この方法は、セルの負荷に基づく基地局コントローラ間のハンドオーバには直接使用することができない。実際上、基地局コントローラの内部ハンドオーバの数よりも相当に数が少ない基地局コントローラ間のハンドオーバにおいては、例えば、現状のハンドオーバによって処理を進めることができる。また、別の形態は、基地局コントローラＢＳＣにおいてハンドオーバの判断を行い、「ハンドオーバ要求」をセル負荷と共に理由コードとして移動サービス交換センターＭＳＣに送信することにより、本発明に基づいて、基地局コントローラ間のハンドオーバを行うことである。しかしながら、後者の形態は、ＧＳＭ０８．０８仕様に完全に適合しないことに注意されたい。第３の別の形態は、本発明により、図４に示すように、良好な無線チャネルに基づきハンドオーバに必要な信号余裕を変更することである。次いで、ハンドオーバは、基地局コントローラ間の通常のハンドオーバとして実行され、良好な無線チャネルを達成する。
【００４５】
本発明は、上記の実施形態に限定されるものではなく、請求の範囲に記載された本発明の範囲内で種々の変更がなされ得ることが明らかであろう。
【図面の簡単な説明】
【００４６】
【図１】図１は、既知のセルラー無線ネットワークの構造を示す図である。
【図２】図２は、セルの負荷によるハンドオーバの原理を示す図である。
【図３】図３は、トラフィックによる現状のハンドオーバの信号を示す図である。
【図４】図４は、「退場基準」及び「入場基準」が満足されることを常時チェックするアルゴリズムを示す。
【図５】図５は、セルの負荷によるハンドオーバをトリガするアルゴリズムの構造を示す図である。
【図６】図６は、セルの負荷によるハンドオーバを実行するアルゴリズムの構造を示す図である。
【図７】図７は、２つの移動局がハンドオーバにより負荷のかかったセルから別のセルへ移動するところを示す図である。
【図８】図８は、本発明による基地局コントローラの機能的なブロック図である。
【符号の説明】
【００４７】
８００  バス
８０１  メモリエリア１
８０２  比較手段
８０３  メモリエリア２
８０４  制御手段
８１１  スイッチングコントロール
８１２  スイッチングフィールド
８２１  同期ユニット
８３１  ネットワークマネジメントユニット
８４１  測定報告分析ユニット
【図１】
2009060661.tif 000003
【図２】
2009060661.tif 000004
【図３】
2009060661.tif 000005
【図４】
2009060661.tif 000006
【図５】
2009060661.tif 000007
【図６】
2009060661.tif 000008
【図７】
2009060661.tif 000009
【図８】
2009060661.tif 000010